(57)【要約】  【課題】被測定者の鼓膜の位置に応じた持ち方で本体を持つことができる耳式体温計を提供すること。  【解決手段】本発明による耳式体温計は、鼓膜温の測定時に手で保持される本体と、本体から突出する状態で本体に対して固定され測定時に被測定者の外耳道に挿入されるプローブとを含んでいる。本体は、プローブが本体から突出している側とその逆側とを有し、このプローブが本体から突出する側の逆側は、プローブの中心軸を含む基準平面に直交する方向の曲率がほぼ一定な曲面を形成し、曲面の曲率中心はプローブの基端部近傍に位置する。さらに、本体は、被測定者の外耳道にプローブを挿入する向きに応じた複数通りの本体の持ち方を使用者に認識させ、かつ識別させるための指標を有する。【選択図】  図１
2005224617.tif 000002
【特許請求の範囲】
【請求項１】
鼓膜温の測定時に手で保持される本体と、
前記本体から突出する状態で本体に対して固定され、測定時に被測定者の外耳道に挿入されるプローブとを含み、
前記本体は、前記プローブが本体から突出している側とその逆側とを有し、このプローブが本体から突出する側の逆側は、前記プローブの中心軸を含む基準平面に直交する方向の曲率がほぼ一定な曲面を形成し、該曲面の曲率中心は前記プローブの基端部近傍に位置することを特徴とする耳式体温計。
【請求項２】
鼓膜温の測定時に手で保持される本体と、
前記本体から突出する状態で本体に対して固定され、測定時に被測定者の外耳道に挿入されるプローブとを含み、
前記本体は、正面側部材と、前記正面側部材の逆側であり、前記プローブが本体から突出している背面側部材とで構成され、
前記正面側部材は、測定時に手で保持する部分の表面形状は、前記プローブの中心軸を含む基準平面に直交する方向の曲率がほぼ一定な略円柱状となっていることを特徴とする耳式体温計。
【請求項３】
前記本体は、被測定者の外耳道に前記プローブを挿入する向きに応じた複数通りの本体の持ち方を使用者に認識させ、かつ識別させるための指標を有することを特徴とする請求項１又は２のいずれかに記載の耳式体温計。
【発明の詳細な説明】
【技術分野】
【０００１】
本発明は、鼓膜から放射される赤外線を検出することによって鼓膜温を測定する耳式体温計に関する。 
【背景技術】
【０００２】
従来、鼓膜から放射される赤外線を赤外線センサで非接触に計測し、鼓膜温を測定する耳式体温計が提案されている。耳式体温計は、一般に、以下の構成を持つ。即ち、耳式体温計は、本体と、この本体から外方へ向けて突出し、鼓膜温の測定時に耳の穴(外耳道)に挿入されるプローブとを有する。本体の内部には、プローブを外耳道に挿入した際に鼓膜からプローブ内部へ侵入した赤外線を検出する赤外線センサと、赤外線センサの検出結果に基づいて鼓膜温を算出するマイクロコンピュータ(マイコン)とが搭載されており、マイコンによって算出された鼓膜温は、本体に設けられた表示器に表示される。 
【０００３】
使用者は、鼓膜温を測定する場合には、本体を保持し、プローブを被測定者の外耳道へ挿入した後、測定開始スイッチを押す。すると、赤外線センサが鼓膜からの赤外線を検出し、マイコンが検出された赤外線に基づく鼓膜温を表示器に表示させる。使用者は、表示器に表示された鼓膜温を参照することによって、被測定者の体温を認識することができる。 
【０００４】
鼓膜温を測定する際には、使用者は、本体を保持し、プローブを外耳道に挿入することで測定時における姿勢をとる。この測定時における姿勢(耳式体温計の人体に対する適正な位置)をとり易くするため、従来の耳式体温計には、使用者が本体を持ち易くするための工夫がなされている。 
【０００５】
例えば、特許文献１に開示された耳式体温計（以下、「先行例１」という）は、本体にガングリップが設けられており、使用者がガングリップを握持することで、測定時における姿勢をとり易くしている。また、特許文献２に開示された耳式体温計(以下、「先行例２」という)は、人体に押し当てられる円弧状部を本体に設けることで、耳式体温計を安定した状態で持つことを可能としている。 
【特許文献１】米国特許４９９３４２４号公報
【特許文献２】特開平１０−１１８０３３号公報
【発明の開示】
【発明が解決しようとする課題】
【０００６】
ところで、被測定者の鼓膜温を適正に測定するには、赤外線センサが鼓膜からの赤外線を適正に検出することを要する。このため、赤外線センサは、本体の内部にてプローブの中心軸上に配置され、プローブが耳の穴に挿入された場合に、鼓膜と対向し、鼓膜から放射された赤外線がプローブを通じて赤外線センサに到達するようにされている。 
【０００７】
しかしながら、上記した従来の耳式体温計には以下の問題があった。即ち、プローブは、赤外線センサに到達すべき赤外線を遮る方向に動かすことができないため、赤外線センサとの相対位置を適正な状態で一定に保つべく、本体に対して固定されている。 
【０００８】
一方、外耳道の開口部と鼓膜とは、頭部を側面から見た場合に、同一直線上に配置されている訳でなく、鼓膜は、例えば、外耳道の開口部よりも後頭部側(頭部の背面側)にあったり、顔面側(頭部の正面側)にあったりする。また、人によっては、外耳道が直線状でなく曲がっている場合もある。 
【０００９】
このように、外耳道の開口部から鼓膜へ向かう方向(開口部から鼓膜が見える方向)や、開口部から鼓膜までの外耳道の曲がり方は、人によって千差万別である。このため、被測定者によっては、プローブを外耳道に挿入した後に、赤外線センサが鼓膜に対向するように、プローブを外耳道に挿入する向きを鼓膜の位置に合わせて変えなければならない場合がある。 
【００１０】
このとき、先行例１では、ガングリップを握持することで本体を持つ構成であるので、本体の適正な持ち方(ガングリップを握る方向)は一つしかない。このため、使用者は、プローブの向きを変えなければならない場合には、ガングリップを不自然・不安定な状態で持つか、ガングリップを握っている手の手首や腕を不自然な方向に曲げるかをしなければならなかった。 
【００１１】
また、先行例２では、プローブを外耳道に挿入した際にプローブの基端部と円弧状部を支点とする(人体に接触させる)構成である。このため、本体の持ち方として、円弧状部を人体に押し当てるようにして持つことのみが予定されており、円弧状部を人体から離した状態で持つことは予定されていない。従って、プローブの向きを変えなければならない場合には、先行例１と同様に、予定されていない持ち方で本体を持たなければならない。従って、本体の持ち方が不自然・不安定となることがあった。 
【００１２】
このように、先行例１及び先行例２では、プローブの向きに応じて本体の持ち方を変えることが予定されていないため、プローブの向きを変えたときに、測定時における姿勢が不自然・不安定となることがあった。測定時における姿勢が不自然・不安定であると、体温測定の快適さが損なわれる可能性がある。また、赤外線センサに体温測定に十分な赤外線が到達せず、適正に鼓膜温を測定できない可能性がある。さらに、不自然・不安定な持ち方では、その持ち方を覚えたり、再現したりすることが困難となる可能性がある。 
【００１３】
本発明の課題は、被測定者の鼓膜の位置に応じた持ち方で本体を持つことができる耳式体温計を提供することである。詳細には、被測定者の鼓膜の位置に応じてプローブを外耳道に挿入する向きを変えるために本体を複数通りの持ち方で持つことができる耳式体温計を提供することである。また、プローブを外耳道に挿入する向きに応じて用意された複数通りの本体の持ち方を使用者が認識することができる耳式体温計を提供することである。
【課題を解決するための手段】
【００１４】
本発明は、上記した課題を解決するために以下の構成を採用する。 
【００１５】
即ち、本発明の第１の態様は、鼓膜温の測定時に手で保持される本体と、前記本体から突出する状態で本体に対して固定され、測定時に被測定者の外耳道に挿入されるプローブとを含み、前記本体は、前記プローブが本体から突出している側とその逆側とを有し、このプローブが本体から突出する側の逆側は、前記プローブの中心軸を含む基準平面に直交する方向の曲率がほぼ一定な曲面を形成し、該曲面の曲率中心は前記プローブの基端部近傍に位置することを特徴とする。
【００１６】
第１の態様によれば、本体のプローブが突出している側の逆側は、曲面の曲率がほぼ一定であり、その曲率中心がプローブの基端部近傍に位置するので、プローブが本体から突出する側の逆側から本体を持つ場合に、その本体を持つ方向が変わっても使用者は持つ方向が異なることによる違和感を感じなくて済む。従って、本体の複数の持ち方を使用者に用意することができる。
【００１７】
本発明の第２の態様は、鼓膜温の測定時に手で保持される本体と、前記本体から突出する状態で本体に対して固定され、測定時に被測定者の外耳道に挿入されるプローブとを含み、前記本体は、正面側部材と、前記正面側部材の逆側であり、前記プローブが本体から突出している背面側部材とで構成され、前記正面側部材は、測定時に手で保持する部分の表面形状は、前記プローブの中心軸を含む基準平面に直交する方向の曲率がほぼ一定な略円柱状となっていることを特徴とする。 
【００１８】
第２の態様によれば、本体の正面側部材は、測定時に手で保持する部分の表面形状が、前記プローブの中心軸を含む基準平面に直交する方向の曲率がほぼ一定な略円柱状となっているので、本体の正面側部材を持つ場合に、その本体を持つ方向が変わっても使用者は持つ方向が異なることによる違和感を感じなくて済む。従って、本体の複数の持ち方を使用者に用意することができる。
【００１９】
第１及び第２の態様では、前記本体は、被測定者の外耳道に前記プローブを挿入する向きに応じた複数通りの本体の持ち方を使用者に認識させ、かつ識別させるための指標を有することが好適である。このようにすれば、被測定者の鼓膜の位置に応じてプローブを外耳道に挿入する向きを変える際に、指標が設けられているので、使用者は複数通りの本体の持ち方を認識することができる。そして、使用者が、指標に従って複数通りの本体の持ち方のいずれかで本体を持つことで、プローブを外耳道に挿入する向きを変えることができ、さらに複数通りの本体の持ち方から被測定者に応じた本体の持ち方を識別することができる。これによって、プローブを鼓膜の位置に応じた適正な向きで挿入することができるので、被測定者の体温を適正に測定することができる。 
【００２０】
なお、本明細書において、耳式体温計の操作者を「使用者」と称し、耳式体温計によって鼓膜温（体温）を測定される者は「被測定者」と称する。
【発明の効果】
【００２１】
本発明による耳式体温計によれば、被測定者の鼓膜の位置に応じて外耳道に対するプローブの向きを変えられるように本体を持つことができる。
【発明を実施するための最良の形態】
【００２２】
以下、図面を参照して本発明の実施形態を説明する。 
〔実施形態１〕 
〈耳式体温計の構成〉
【００２３】
図１(ａ)は、本発明の実施形態１による耳式体温計の正面図であり、図１(ｂ)は、図１(ａ)に示した耳式体温計の左側面図であり、図１(ｃ)は、図１(ａ)に示したＸ−Ｘ線に従って本体１を切断した場合における端面図である。図１(ａ)及び図１(ｂ)に示すように、耳式体温計は、被測定者の鼓膜温を測定することによって被測定者の体温を測定するものであり、本体１と、プローブ２と、測定開始スイッチとしての測定開始用のスイッチ３と、表示器４とを備えている。 
【００２４】
本体１は、長手方向(基準平面Ｆの方向)と短手方向(基準平面Ｆに直交する方向)とを有し、さらに、正面側(プローブが突出している側の逆側に相当)と、背面側(プローブが突出している側に相当)とを有し、正面側部材１ａと背面側部材１ｂとを接合することで構成されている。本体１は、プローブ２の中心軸Ｌ１を含む基準平面Ｆに対して略面対称となっている。 
【００２５】
正面側部材１ａは、その長手方向の一端側が他端側よりも曲率が大きいドーム状に形成されており、その表面形状は、本体１の短手方向(基準平面Ｆに直交する方向)で切断する場合には、長手方向におけるどの部位で切断した場合でも切断されたときの端面が略円弧
状となる曲面(基準平面に直交する方向の曲率がほぼ一定の曲面に相当)で構成されている。 
【００２６】
図１(ｃ)には、例として、正面側部材１ａの短手方向(基準平面Ｆに対して直交する方向)に沿ったＸ−Ｘ線を含む面で切断した場合における端面が図示されており、その端面形状は略円弧状になっている。 
【００２７】
また、正面側部材１ａの一端側には、円形の第１開口部１ｃが設けられている。第１開口部１ｃには、正面側部材１ａの内部へ向けて落ち込むように形成されたリング状の外縁部１ｄが形成されている。また、正面側部材１ａの中間部には、第２開口部１ｅが設けられている。 
【００２８】
プローブ２は、両端が開口し基端部が末端部よりも大径の円錐台状に形成されており、基端部が本体１に対して固定された状態で、本体１の背面側部材１ｂの一端側から外方に向けて斜めに突出している。これによって、耳式体温計を正面から見た場合に、プローブ２の基端部が本体１の長手方向の一端よりも外方に突出している。なお、プローブ２は、本体１と一体形成されていても良く、着脱自在に構成されていても良い。 
【００２９】
スイッチ３は、円形状の平面形状を有しており、第１開口部１ｃから外部に露出している。スイッチ３の表面には、指標１０がエンボスで形成されている。指標１０は、基準平面Ｆ上に配置されており、使用者は、指標１０を視認したり触ったりすることで、本体１の左側と右側とを認識することが可能となっている。即ち、指標１０は、使用者に複数通りの本体１の持ち方を認識・実行させるために設けられている。 
【００３０】
表示器４は、正面側部材１ａの図示せぬ第２開口部１ｅにはめ込まれており、ＬＣＤ(液晶表示ディスプレイ)で構成された矩形の表示面が外部に露出している。 
【００３１】
プローブ２の内部には、プローブ２の中心軸Ｌ１と同軸で円筒状の導波管５が設けられている。また、本体１の内部には、サーモパイル６と、マイコン７とが設けられている。
【００３２】
サーモパイル６は、赤外線センサと温度センサ(サーミスタ)とを有しており、赤外線センサは、プローブ２の中心軸Ｌ１の延長線上に配置されており、これによって、プローブ２の内部に入射した赤外線が導波管５を介して赤外線センサに到達するようになっている。マイコン７は、スイッチ３，表示器４及びサーモパイル６と電気的に接続されている。
〈耳式体温計の使用方法〉
【００３３】
次に、図１に示した耳式体温計の使用方法を、耳式体温計の動作例とともに、図１〜図４を用いて説明する。図２〜図４は、図１に示した耳式体温計の使用方法(耳式体温計の持ち方)の説明図である。 
【００３４】
なお、図２〜図４は、耳式体温計の使用者が、被測定者の体温を測定する場合を図示しているが、耳式体温計の使用者と被測定者とが同一である場合でも、使用方法は同じである。 
【００３５】
最初に、使用者が、本体１に設けられた図示せぬ電源スイッチを投入する。すると、マイコン７が起動し、所定の初期設定(バッテリチェック，測定準備処理等)を行う。その後、初期設定が終了すると、使用者がスイッチ３を押すことによって鼓膜温(体温)の測定が開始される状態(測定開始待機状態)となる。 
【００３６】
その後、使用者は、本体１の一端側(スイッチ３が設けられている側)を上にし、本体１を保持する手の人差し指の配置位置を基準として本体１を保持する。即ち、人差し指の先端が本体１の一端側へ向き且つ長手方向に沿った状態で、人差し指の本体１に対する配置位置を決定し、その後、人差し指の位置に合わせて本体１を正面側から自然に握り込むようにして本体１を持つ。 
【００３７】
このとき、被測定者がこの耳式体温計によって初めて体温を測定する場合，或いは、被測定者の頭部を側面からみた場合に、被測定者の外耳道の開口部と鼓膜とが同一直線上にある場合には、図２に示すように、使用者は、人差し指の指頭を指標１０(スイッチ３)に接触させた後、指標１０の延長線(基準平面Ｆ)上に人差し指が位置するように本体１を正面側から握り込む。この持ち方を「第１の持ち方」と称する。 
【００３８】
これに対し、例えば、被測定者の頭部を側面から見た場合に、被測定者の鼓膜が外耳道の開口部よりも後頭部側(背面側)に位置していることが分かっている場合には、図３に示すように、使用者は、人差し指の指頭をスイッチ３の指標１０の左側に接触させた後、人差し指が指標１０の延長線(基準平面Ｆ)の左側に位置する状態で、本体１を正面側から握り込む。この持ち方を「第２の持ち方」と称する(本発明の第１の持ち方に相当)。 
【００３９】
これに対し、例えば、被測定者の頭部を側面から見た場合に、被測定者の鼓膜が外耳道の開口部よりも顔面側(正面側)に位置していることが分かっている場合には、図４に示すように、使用者は、人差し指の指頭をスイッチ３の指標１０の右側に接触させた後、人差し指が指標１０の延長線(基準平面Ｆ)の右側に位置する状態で、本体１を正面側から握り込む。この持ち方を「第３の持ち方」と称する(本発明の第２の持ち方に相当)。 
【００４０】
その後、使用者は、上記した第１〜第３の持ち方によって本体１を保持した後、プローブ２の先端を外耳道に挿入する。このとき、使用者が第１の持ち方で本体１を保持している場合には、図２に示すように、プローブ２の中心軸Ｌ１が人差し指の腹側の面に対してほぼ直交する状態にある。 
【００４１】
従って、使用者は、手首を固定した状態でプローブ２の先端を外耳道の開口部に案内すれば、プローブ２が外耳道の開口縁に対してほぼ直交する状態(外耳道の開口部に対するプローブ２の向きがほぼ平行な状態)で、プローブ２を外耳道に挿入することができる。 
【００４２】
これに対し、使用者が第２の持ち方で本体１を保持している場合には、図３に示すように、プローブ２の中心軸Ｌ１が人差し指の腹側の面に対して左側に傾いた状態にある。 
【００４３】
従って、使用者は、手首を固定した状態でプローブ２の先端を外耳道の開口部に案内すれば、プローブ２が外耳道の開口縁に対して後頭部側に傾いた状態(プローブを挿入する向きが外耳道の開口部から被測定者の背面側へ向かう向きとなっている状態)で、プローブ２を外耳道に挿入することができる。 
【００４４】
これに対し、使用者が第３の持ち方で本体１を保持している場合には、図４に示すように、プローブ２の中心軸Ｌ１が人差し指の腹側の面に対して右側に傾いた状態にある。 
【００４５】
従って、使用者は、手首を固定した状態でプローブ２の先端を外耳道の開口部に案内すれば、プローブ２が外耳道の開口縁に対して顔面側に傾いた状態(プローブを挿入する向きが外耳道の開口部から被測定者の正面側へ向かう向きとなっている状態)で、プローブ２を外耳道に挿入することができる。 
【００４６】
このようにして、鼓膜に対して赤外線センサが対向するように、プローブ２が外耳道に挿入される。これによって、鼓膜から放射された赤外線が、プローブ２内の導波管５を通過してサーモパイル６の赤外線センサに到達する状態となる。 
【００４７】
その後、使用者が、本体１を保持している人差し指でスイッチ３を押せば、スイッチ３からマイコン７に鼓膜温の測定開始信号が入力され、マイコン７が図示せぬ測定開始のブザーを鳴らした後、測定処理を開始する。 
【００４８】
鼓膜からの赤外線がサーモパイル６の赤外線センサに当たると、赤外線センサの温度が上昇する。測定処理が開始されると、マイコン７は、サーモパイル６に対し、測定開始信号を入力する。測定開始信号がサーモパイル６に入力されると、赤外線センサは、所定の測定時間において、自身に当たった赤外線の量に応じた温度上昇値に比例する信号をマイコン７に入力する。また、サーモパイル６の温度センサは、赤外線センサ自身の温度に応じた信号をマイコン７に入力する。 
【００４９】
すると、マイコン７は、赤外線センサ及び温度センサからの入力信号に基づいて被測定者の鼓膜温を算出し、図示せぬ測定終了ブザーを鳴らした後、算出結果を表示器４に表示して、測定処理を終了する。 
【００５０】
その後、使用者や被測定者が表示器４に表示された鼓膜温(体温)を参照すれば、使用者や被測定者は、被測定者の体温を認識することができる。このとき、被測定者にとって、この耳式体温計による体温測定が初めてであれば、使用者は、本体１の持ち方を第２の持ち方及び第３の持ち方に変えて、夫々体温測定を行う。 
【００５１】
その後、使用者や被測定者は、第１〜第３の持ち方についての体温の測定結果を対比し、最も高い測定結果が出た持ち方を適正な持ち方(適正な測定時における姿勢)として記憶する。 
【００５２】
なぜなら、最も高い測定結果が出なかった持ち方については、プローブ２の外耳道に対する挿入角度が不適正であるために、鼓膜からの赤外線が外耳道の壁面やプローブ２等によって遮られてしまい、赤外線センサに到達すべき赤外線が到達しなかったと考えられるからである。 
【００５３】
従って、使用者や被測定者は、今後における体温測定に際し、記憶した持ち方をもって本体１を保持し、上記方法に従って耳式体温計を操作すれば、適正な測定時における姿勢をもって体温を測定することができ、適正な体温値を得ることができる。 
【００５４】
以上説明したように、本発明の実施形態１による耳式体温計によると、プローブを外耳道に挿入する向きに応じて複数通りの持ち方を用意し、この複数通りの持ち方を使用者に認識させるための指標１０がスイッチ３に設けられている。このため、使用者は、指標１０を視覚や触覚で認識すれば、本体１の持ち方として、上述した第１〜第３の３通りの持ち方があることを認識することができる。そして、本体１を保持するときに、指標１０を手がかりとし、指標１０に従って本体１を持てば、上述した第１〜第３の持ち方を容易に実行することができる。 
【００５５】
即ち、第１〜第３の持ち方は、本体１を正面側から持つ点で共通し、持つ方向がやや異なる点で相違する。正面側部材１ａの短手方向の表面形状は、円柱面に近い曲面となっているので、第１の持ち方から第２又は第３の持ち方に変更しても、触感が殆ど変わらない。また、第１〜第３の持ち方は、本体１を正面側から握り込む方向がやや変わるのみであるので、持ち方自体は変わらない。このため、測定時における姿勢をとった場合における
手首，肘，或いは肩の角度は、第１〜第３の持ち方間においてほぼ同じである。 
【００５６】
このように、各第１〜第３の持ち方における本体１に対する触感，測定時における姿勢は、持ち方間で殆ど変わらないので、第１〜第３の持ち方の何れについてもほぼ同じ使用感が得ることができる。従って、使用者は、被測定者の鼓膜の位置に応じて第１〜第３の持ち方の何れで本体１を持った場合でも、自然且つ安定した測定時における姿勢をとることができる。 
【００５７】
さらに、本体１には、指標１０が設けられているので、この指標１０にに従って第１〜第３の持ち方を認識・実行することができる。このため、被測定者の鼓膜の位置に応じて外耳道に対するプローブ２の挿入角度を変える必要がある場合には、指標１０に従って持ち方を変えることで、プローブ２を外耳道に挿入する向きを変えるための本体１の持ち替えを容易に行うことができる。従って、適正に被測定者の体温を測定することができる。  
【００５８】
このことに鑑み、被測定者がこの耳式体温計を初めて用いる場合には、各第１〜第３の持ち方で体温を夫々測定すれば、被測定者に最も適したプローブ２を外耳道に挿入する向き(鼓膜の見える角度)を見つけることができる。そして、被測定者に最も適した挿入角度となる持ち方を、指標１０を手がかりとして覚えておけば、今後の測定において、指標１０を手がかりとして本体１の持ち方を容易に再現することができるので、被測定者に最も適したプローブの向きを確実に再現することができる。 
【００５９】
なお、実施形態１では、第１開口部１ｃにリング状の外縁部１ｄが設けられているが、この外縁部１ｄは基準平面Ｆに対して略面対称であり、使用者が外縁部１ｄを指先でなぞることでも人差し指の位置を決める手がかりとなる。従って、外縁部１ｄも指標の機能を有する。 
〔実施形態２〕
【００６０】
図５(ａ)は、本発明の実施形態２による耳式体温計の正面図であり、図５(ｂ)は、図５(ａ)に示した耳式体温計の左側面図である。実施形態２は、実施形態１と指標の形状が異なる点を除き、実施形態１とほぼ同じ構成を有する。このため、共通点については説明を省略し、相違点についてのみ説明する。 
【００６１】
図５(ａ),(ｂ)に示すように、実施形態２における指標１０Ａは、本体１の長手方向及び短手方向に沿って配置された十字形状のエンボスである。指標１０Ａの本体１の長手方向に沿って配置された部位は、基準平面Ｆ上に配置されている。 
【００６２】
実施形態２による耳式体温計の使用方法は、実施形態１とほぼ同様である。耳式体温計の使用時において、使用者は、本体１を保持するとき、指標１０Ａの本体１の長手方向に沿って設けられた部位に人差し指の指頭を接触させて基準とし、本体１を握り込めば、上述した第１の持ち方を実行することができる、また、使用者は、指標１０Ａの本体の短手方向に沿って設けられた基準平面Ｆよりも左側の部位に人差し指の指頭を接触させて基準とし、本体１を握り込めば、上述した第２の持ち方を実行することができる。さらに、使用者は、本体の短手方向に沿って設けられた基準平面Ｆよりも右側の部位に人差し指の指頭を接触させて基準とし、本体１を握り込めば、上述した第３の持ち方を実行することができる。 
【００６３】
また、使用者が、第２又は第３の持ち方を実行する場合に、指標１０Ａの本体１の短手方向に沿って設けられた部位の左側端部と右側端部とを視覚や触覚で認識すれば、第２又は第３の持ち方を実行する際における人差し指の位置について或る程度の見当をつけるこ
とができるので、第２,第３の持ち方を容易に実行することができ、適正な体温を測ることができる。 
〔実施形態３〕
【００６４】
図６(ａ)は、本発明の実施形態３による耳式体温計の正面図である。図６(ａ)に示すように、実施形態３による耳式体温計では、図１に示した指標１０の両側に、指標１０に対して平行な長円状の指標１０Ｂ1,１０Ｂ2が、指標１０から等距離をおいてエンボスで形成されている。以上の点を除き、実施形態３の構成は、実施形態１の構成とほぼ同じである。 
【００６５】
実施形態３による耳式体温計の使用方法は、実施形態１とほぼ同様である。但し、本体１を保持する場合に、使用者が指標１０Ｂ1に人差し指の指頭を接触させて基準とし、本体１を握り込めば、第２の持ち方を実行することができる。一方、使用者が指標１０Ｂ2に人差し指の指頭を接触させて基準とし、本体１を握り込めば、第３の持ち方を実行することができる。 
〔実施形態４〕
【００６６】
図６(ｂ)は、本発明の実施形態４による耳式体温計の正面図である。図６(ｂ)に示すように、実施形態４による耳式体温計では、スイッチ３の表面に４つの円形の指標１０Ｃ1〜１０Ｃ4がエンボスで(凸部で)形成されている。 
【００６７】
各指標１０Ｃ1,１０Ｃ2は、本体１の長手方向に沿って基準平面Ｆ上に形成されており、各指標１０Ｃ3,１０Ｃ4は、基準平面Ｆに対して略面対称となる状態で形成されている。以上の点を除き、実施形態４の構成は、実施形態１の構成とほぼ同じである。 
【００６８】
実施形態４による耳式体温計の使用方法は、実施形態１とほぼ同様である。但し、本体１を保持する場合に、使用者が指標１０Ｃ1と指標１０Ｃ2との少なくとも一方に人差し指の指頭を接触させて基準とし、本体１を握り込めば、第１の持ち方を実行することができる。また、使用者が指標１０Ｃ3に人差し指の指頭を接触させて基準とし、本体１を握り込めば、第２の持ち方を実行することができる。さらに、使用者が指標１０Ｃ4に人差し指の指頭を接触させて基準とし、本体１を握り込めば、上述した第３の持ち方を実行することができる。 
【００６９】
なお、実施形態４では、各指標１０Ｃ1〜１０Ｃ4を円形状としたが、図６(ｃ)に示すように、各指標１０Ｃ1〜１０Ｃ4の夫々は、頂点が本体１の短手方向及び長手方向の延長方向へ向けて配置された三角形状となっていても良い。 
〔実施形態５〕
【００７０】
図７(ａ)は、本発明の実施形態５による耳式体温計の正面図であり、図７(ｂ)は、図７(ａ)に示した耳式体温計の左側面図である。実施形態５は、複数通りの本体の持ち方を使用者に認識・実行させるための複数の指標が、スイッチ３の表面ではなく、本体１の正面側部材１ａの表面に設けられている点で実施形態１〜４と異なる。 
【００７１】
図７(ａ),(ｂ)に示すように、正面側部材１ａには、複数の半球状(平面円形状)の指標１０Ｄ1〜１０Ｄ4が形成されている。各指標１０Ｄ1,１０Ｄ2は、第１開口部１ｃの近傍において、基準平面Ｆ上に配置されており、各指標１０Ｄ3,１０Ｄ4は、基準平面Ｆに対して略面対称に配置されている。以上の点を除き、実施形態５の構成は、実施形態１の構成とほぼ同じである。 
【００７２】
実施形態５による耳式体温計の使用方法は、実施形態４とほぼ同様である。即ち、本体
１を保持する場合に、使用者が指標１０Ｄ1と指標１０Ｄ2との少なくとも一方に人差し指の指頭を接触させて基準とし、本体１を握り込めば、第１の持ち方を実行することができる。また、使用者が指標１０Ｄ3に人差し指の指頭を接触させて基準とし、本体１を握り込めば、第２の持ち方を実行することができる。さらに、使用者が指標１０Ｄ4に人差し指の指頭を接触させて基準とし、本体１を握り込めば、上述した第３の持ち方を実行することができる。 
【００７３】
なお、実施形態５では、各指標１０Ｄ1〜１０Ｄ4を半球状としたが、実施形態４と同様に、各指標１０Ｄ1〜１０Ｄ4の夫々が、平面形状が三角形のエンボスで形成されていても良い。 
〔実施形態６〕
【００７４】
図８(ａ)は、本発明の実施形態６による耳式体温計の正面図であり、図８(ｂ)は、図８(ａ)に示した耳式体温計の左側面図であり、図９(ａ),(ｂ)は、図８に示した耳式体温計の変形例を示す図である。図８に示すように、実施形態６では、複数の指標１０Ｅ1〜１０Ｅ3が、本体１の正面側部材１ａの表面に形成されている。各指標１０Ｅ1〜１０Ｅ3は、帯状のエンボスで形成されている。 
【００７５】
指標１０Ｅ1は、第１開口部１ｃの外縁部１ｄから本体１の他端側へ向けて基準平面Ｆ上に形成されている。また、各指標１０Ｅ2,１０Ｅ3は、外縁部１ｄから他端側へ向けて、本体１が第２,第３の持ち方で保持されたときの人差し指に沿うように、基準平面Ｆに対して略面対称に形成されている。以上の点を除き、実施形態６の構成は、実施形態１の構成とほぼ同じである。 
【００７６】
実施形態６による耳式体温計の使用方法は、実施形態１とほぼ同様である。但し、本体１を保持する場合に、使用者が指標１０Ｅ1に沿って人差し指を配置すれば、第１の持ち方を実行することができる。また、使用者が指標１０Ｅ2に沿って人差し指を配置すれば、第２の持ち方を実行することができる。さらに、使用者が指標１０Ｅ3に沿って人差し指を配置すれば、第３の持ち方を実行することができる。 
【００７７】
なお、実施形態６では、３つの帯状の指標１０Ｅ1〜１０Ｅ3が設けられているが、図９(ａ)に示すように、外縁部１ｄから本体１の他端側へ向けて延出し、基準平面Ｆ上で交差(但し、図９(ａ)に示した破線部分は、実際には存在しない)する帯状の指標１０Ｆ1,１０Ｆ2が設けられていても良い。 
【００７８】
この構成では、各指標１０Ｆ1,１０Ｆ2の中間に人差し指を配置するようにして持ち方を決めることで、第１の持ち方を実行することができる。また、表示器４よりも本体１の一端側に存する指標１０Ｆ2に従って人差し指の配置位置を決めることで、第２の持ち方を実行することができる。さらに、表示器４よりも本体１の一端側に存する指標１０Ｆ1に従って人差し指の配置位置を決めることで、第３の持ち方を実行することができる。 
【００７９】
また、図８及び図９(ａ)に示した各指標１０Ｅ1〜１０Ｅ3,１０Ｆ1,１０Ｆ2に代えて、図９(ｂ)に示すように、正面側部材１ａは、その長手方向のほぼ中間において、その短手方向の外縁部の近傍に夫々設けられ、基準平面Ｆに対して略面対称に配置された平面形状が円形の指標１０Ｇ1,１０Ｇ２を有する構成としても良い。 
【００８０】
この構成では、人差し指を正面側部材１ａの長手方向の中心線(基準平面Ｆ)上に配置することで、第１の持ち方を実行することができる。また、指標１０Ｇ1に従って人差し指の配置位置を決めることで、第２の持ち方を実行することができる。さらに、指標１０Ｇ２に従って人差し指の配置位置を決めることで、第３の持ち方を実行することができる。    
【００８１】
なお、図８(ａ),(ｂ)及び図９(ａ)に示した指標１０Ｅ1〜１０Ｅ3,１０Ｆ1,１０Ｆ2は、その平面形状を帯状に代えて点線状としても良い。指標の形状は、使用者が複数通りの持ち方を認識できるようにされていれば、どのような形状，模様，色彩又はこれらの組み合わせであってもよい。例えば、本体やスイッチを持ち方に応じて塗り分けることで指標としても良い。 
【００８２】
上述した実施形態１〜６では、指標をエンボス(凸部)で構成したが、この凸部としての指標は、本体１と一体形成されるものであっても良く、本体１の形成後に取り付けられるものであっても良い。 
【００８３】
また、指標は、本体又はスイッチの表面に形成された凹部であっても良く、本体又はスイッチの表面に印刷又は描かれたものであっても良く、本体又はスイッチの表面に貼付されるシールであっても良い。 
【００８４】
上記した何れの手法においても、本体又はスイッチと指標との境界を指でなぞることで認識できる程度の段差が形成されていれば、視覚又は触覚で複数通りの持ち方を認識することができる。但し、指標が本体又はスイッチの表面と面一となっている場合には、複数通りの持ち方の認識は視覚のみで行うことになる。 
【００８５】
また、指標は、第１〜第３の持ち方の夫々について、複数個の指標の組み合わせからなるように構成しても良い。例えば、人差し指，親指及び薬指の配置位置を夫々示す複数個の指標の組み合わせが、第１〜第３の持ち方の夫々について設けられた構成としても良い。 
〔実施形態７〕
【００８６】
図１０(ａ)は、本発明の実施形態７による耳式体温計の正面図であり、図１０(ｂ)は、図１０(ａ)に示した耳式体温計の左側面図であり、図１０(ｃ)は、図１０(ａ),(ｂ)に示した耳式体温計の変形例を示す正面図である。 
【００８７】
実施形態７は、実施形態１〜６で説明した指標に代えて、本体１の複数通り持ち方を使用者に認識・実行させるための複数の測定開始用のスイッチが本体１に設けられている点で実施形態１〜６と異なる。 
【００８８】
図１０(ａ),(ｂ)に示すように、正面側部材１ａの長手方向の一端側には、複数の平面三角形状のスイッチ３Ａ1〜３Ａ3が正面側部材１ａの表面から突出する状態で設けられている。スイッチ３Ａ1は、頂点の一つを正面側部材１ａの長手方向の一端側に向けた状態で、基準平面Ｆ上に設けられている。各スイッチ３Ａ2,３Ａ3は、頂点の一つを正面側部材１ａの短手方向の延長方向(基準平面Ｆに直交する方向)へ向けた状態で、基準平面Ｆに対して略面対称に設けられている。即ち、各スイッチ３Ａ1〜３Ａ3は、実施形態５における指標１０Ｄ1〜１０Ｄ3とほぼ同じ位置に設けられている。以上の点を除き、実施形態７の構成は、実施形態１の構成とほぼ同じである。 
【００８９】
実施形態７による耳式体温計の使用方法は、実施形態５とほぼ同じ手法によって、第１〜第３の持ち方を実行する。但し、実施形態５と異なり、指標の位置にスイッチが設けられている，即ち、本体の持ち方に応じてスイッチが設けられているので、使用者は、スイッチを押すために人差し指を動かす必要がない。 
【００９０】
実施形態７によれば、実施形態１〜６のように指標を設ける必要がないので、実施形態
１〜６による耳式体温計の作製時に、指標を本体やスイッチとは別体で作製する場合に比べて、耳式体温計の部品点数の減少，或いは、作製工程の減少を図ることができる。 
【００９１】
なお、実施形態７では、図１０(ａ),(ｂ)に示すように、各スイッチ３Ａ1〜３Ａ3を平面三角形状としたが、図１０(ｃ)に示すように、各スイッチ３Ａ1〜３Ａ3を平面円形状(半球状)で構成しても良い。また、さらに、基準平面Ｆ上に第１の持ち方に対応するスイッチ３Ａ4が設けられていても良い。 
〔実施形態８〕
【００９２】
図１１(ａ)は、本発明の実施形態８による耳式体温計の一部を示す正面図であり、図１１(ｂ)〜(ｅ)は、図１１(ａ)に示した耳式体温計の変形例を示す正面図である。実施形態７は、第１〜第３の持ち方に対して共通に使用される測定開始用のスイッチが持ち方の指標の機能を備える点で、実施形態１〜７と異なる。 
【００９３】
図１０(ａ)に示すように、正面側部材１ａの長手方向の一端側には、平面形状が二等辺三角形であるスイッチ３Ｂが設けられている。スイッチ３Ｂは、二等辺三角形の底辺に対向する頂点が基準平面Ｆ上に配置され、且つ基準平面Ｆに対して略面対称となる状態で、正面側部材１ａから突出している。 
【００９４】
実施形態８による耳式体温計の使用方法では、使用者は、スイッチ３Ｂの平面形状(二等辺三角形の各頂点)に従って、第１〜第３の持ち方を実行する。即ち、使用者は、第１の持ち方を実行する場合には、基準平面Ｆ上の頂点に従って人差し指の配置位置を決める。 
【００９５】
これに対し、使用者は、第２の持ち方を実行する場合には、基準平面Ｆの左側の頂点に従って人差し指の配置位置を決める。これに対し、使用者は、第２の持ち方を実行する場合には、基準平面Ｆの右側の頂点に従って人差し指の配置位置を決める。 
【００９６】
実施形態８によれば、実施形態７と同様に、指標を設ける必要がないので、実施形態１〜６による耳式体温計の作製時に、指標を本体やスイッチとは別体で作製する場合に比べて、耳式体温計の部品点数の減少，或いは、作製工程の減少を図ることができる。 
【００９７】
なお、スイッチの形状は、基準平面Ｆに対して略面対称となるものであれば良いが、特に、基準平面Ｆに直交する直線上に頂点を有する形状であれば、図１１(ａ)に示した実施形態８とほぼ同様の手法で第１〜第３の持ち方を実行することができる。例えば、図１１(ｂ),(ｃ)に示すスイッチ３Ｃ及びスイッチ３Ｄのように、平面形状が星形状でも、五角形でも良い。星形状は、図１１(ｂ)では、４つの鋭角(頂点)を持つものが図示されているが、鋭角の数は問わない。 
【００９８】
また、スイッチの形状が基準平面Ｆに対して略面対称となるものは、例えば、図１１(ｄ)に示すスイッチ３Ｅのように、スイッチの平面形状がハート型或いはブーメラン状であっても良く、図１１(ｅ)に示すスイッチ３Ｆのように、スイッチの平面形状が正面側部材１ａの短手方向を長手方向とする長方形であっても良い。また、図１１(ｃ)に示すように、スイッチの中心に凸部又は凹部を設け、スイッチの中心が分かるようにされていても良い。 
〔実施形態９〕
【００９９】
図１２(ａ)は、本発明の実施形態９による耳式体温計の正面図であり、図１２(ｂ)は、図１２(ａ)に示した耳式体温計をＡ−Ａ線に沿って切断した場合の端面図であり、図１２(ｃ)は、図１２(ａ)に示した耳式体温計の左側面図である。 
【０１００】
実施形態９では、指標や指標の機能を有するスイッチを設ける代わりに、使用者に複数通りの本体の持ち方を認識させるための面(指標面)を本体に形成する点で、実施形態１〜８と異なる。なお、実施形態９は、実施形態１と共通する構成を有するので、共通する構成については説明を省略し、相違する構成についてのみ説明する。 
【０１０１】
図１２(ａ),(ｃ)に示すように、耳式体温計の本体１１は、長手方向と短手方向とを有し、長手方向の一端側から他端側へ向かうに従って幅狭となっている。本体１１の長手方向の一端側(本体１１の平面側)には、プローブ２を設けるための面が形成されており、この面にプローブ２が固着されている。プローブ２の中心軸Ｌ１は、実施形態１と同様に、基準平面Ｆに含まれ、本体１１は基準平面Ｆに対して略面対称となっている。 
【０１０２】
本体１１の正面側には、本体１１の短手方向に沿って並べられ、隣り合う面同士が１０°〜１７０°の内角を形成するように連結された複数の略平面が形成されている。即ち、基準平面Ｆに対して略面対称な略平面の指標面１２及び指標面１３が形成されている。 
【０１０３】
図１２(ｂ)に示すように、指標面１２と指標面１３とは、１２０°の内角を形成する状態で本体１１の短手方向に沿って連結されている。各指標面１２,１３は、本体１１の長手方向の一端から他端に亘って、一つの面(稜線が存在しない面)を形成している。 
【０１０４】
また、本体１１の正面側には、本体１１の長手方向の一端側に開口部が設けられ、この開口部から外面に露出し、基準平面Ｆに対して略面対称に配置された測定開始用のスイッチ３が設けられている。一方、本体１１の背面側の表面形状は、図１２(ｂ)に示すように、略円弧状となっている。 
【０１０５】
なお、Ａ−Ａ線が引かれている部位は、本体１１が保持されたときに、スイッチ３を押すための指(例えば、人差し指)の先端から第２間接までの部位のうち任意の部位が配置されると考えられる部位である。 
【０１０６】
実施形態９による耳式体温計には、実施形態１と同様に、上述した第１〜第３の持ち方が用意されている。即ち、使用者は、第１の持ち方を実行する場合には、本体１１の持ち方の基準となる人差し指を、スイッチ３を押すことが可能な状態で、指標面１２と指標面１３との境界線(稜線)に沿って配置し(図１２(ｂ)にて破線で示した人差し指ｆ１参照)、その後、人差し指の配置位置に従って、不自然・不安定とならないように、他の指及び掌の配置位置を決めて、本体１１を握り込む。即ち、人差し指の配置位置に従って、本体１１を自然に握り込む。 
【０１０７】
これに対し、使用者は、第２の持ち方を実行する場合には、人差し指をスイッチ３の押下が可能な状態で指標面１２上に配置し(図１２(ｂ)において破線で示した人差し指ｆ２参照)、その後、本体１１を自然に握り込む。これに対し、使用者は、第３の持ち方を実行する場合には、人差し指をスイッチ３の押下が可能な状態で指標面１３上に配置し(図１２(ｂ)に破線で示した人差し指ｆ３参照)、その後、本体１１を自然に握り込む。以上の点を除き、実施形態９による耳式体温計の使用方法は、実施形態１と同様である。 
【０１０８】
実施形態９によれば、本体１１の正面側に指標面１２,１３が設けられているので、各指標面１２,１３とこれらの境界線から、本体１１について第１〜第３の持ち方があることを認識でき、且つ各指標面１２,１３及びこれらの境界線に従って、第１〜第３の持ち方を容易に実行することができる。 
【０１０９】
従って、プローブ２を被測定者に最も適した挿入角度(向き)で挿入することができ、適
正な体温を測定することができる。また、指標面１２,１３に従って、被測定者に最も適した本体１１の持ち方を容易に再現することができる。 
【０１１０】
なお、実施形態９にて説明したように、本発明による指標面を有する耳式体温計では、持ち方の基準となる手の部位(ここでは、人差し指)の配置位置を決める場合に、その目安として、指標面そのものを用いても良く、指標面同士の境界線を用いても良い。 
【０１１１】
また、図１２(ｄ)に示すように、本体１１の背面側を基準平面Ｆに対して直交する平面で構成し、図１２(ａ)に示した耳式体温計をＡ−Ａ線で切断した場合に、その端面が二等辺三角形等となるように構成しても良い。 
〔実施形態１０〕
【０１１２】
図１３(ａ)は、本発明の実施形態１０による耳式体温計の正面図であり、図１３(ｂ)は、図１３(ａ)に示した耳式体温計をＢ−Ｂ線に沿って切断した場合の端面図であり、図１３(ｃ)は、図１３(ａ)に示した耳式体温計の左側面図である。実施形態１０は、実施形態９と共通する構成を有するので、共通する構成については説明を省略し、相違する構成についてのみ説明する。 
【０１１３】
図１３(ａ),(ｃ)に示すように、本体１１の正面側には、本体１１の短手方向に沿って連続して並べられ、基準平面Ｆに対して略面対称な略平面の指標面１５〜１７が形成されている。図１２(ｂ)に示すように、指標面１５は、基準平面Ｆに対して直交しており、各指標面１６,１７は、１５０°の内角をもって指標面１５に連結されている。 
【０１１４】
また、本体１１の正面側には、本体１１の長手方向の一端側における指標面１５に開口部が設けられ、この開口部から外部に露出し基準平面Ｆに対して略面対称に配置された測定開始用のスイッチ３が設けられている。一方、本体１１の背面側の表面形状は、図１３(ｂ)に示すように、略円弧状となっている。 
【０１１５】
なお、図１３(ａ)において、Ｂ−Ｂ線が引かれている部位は、本体１１が保持されたときに、スイッチ３を押すための指(例えば、人差し指)の先端から第２間接までの部位のうち任意の部位が配置されると考えられる部位である。 
【０１１６】
実施形態１０による耳式体温計は、実施形態９と同様に、第１〜第３の持ち方が可能である。使用者は、第１の持ち方を実行する場合には、人差し指をスイッチ３の押下が可能な状態で、指標面１５の長手方向の中心線(基準平面Ｆ)に沿って配置し(図１３(ｂ)にて破線で示した人差し指ｆ１参照)、その後、人差し指の配置位置に従って、本体１１を自然に握り込む。 
【０１１７】
れに対し、使用者は、第２の持ち方を実行する場合には、人差し指をスイッチ３の押下が可能な状態で指標面１６上に配置し(図１３(ｂ)において破線で示した人差し指ｆ２参照)、その後、本体１１を自然に握り込む。これに対し、使用者は、第３の持ち方を実行する場合には、人差し指をスイッチ３の押下が可能な状態で指標面１７上に配置し(図１３(ｂ)に破線で示した人差し指ｆ３参照)、その後、本体１１を自然に握り込む。以上の点を除き、実施形態１０による耳式体温計の使用方法は、実施形態９と同様である。 
【０１１８】
実施形態１０によれば、各指標面１５〜１７から、第１〜第３の持ち方を認識でき、各指標面１５〜１７に従って、第１〜第３の持ち方を容易に実行することができる。 
【０１１９】
また、図１３(ｄ)に示すように、本体１４の背面側を基準平面Ｆに対して略面対称な平面で構成し、図１３(ａ)に示した耳式体温計をＢ−Ｂ線で切断した場合に、その端面が五
角形となるように構成しても良い。即ち、実施形態９及び実施形態１０による耳式体温計では、本体１１又は本体１４の短手方向の切断端面が多角形状となるように構成しても良い。 
【０１２０】
なお、実施形態１〜１０では、第１〜第３の３通りの持ち方が可能な耳式体温計について説明したが、持ち方は、複数あれば幾通りであっても良い。 
【０１２１】
また、実施形態１〜１０では、耳式体温計の本体の持ち方の基準となる手の部位の例として、人差し指を挙げたが、測定開始用のスイッチを押すための指が人差し指以外の指(例えば、中指)である場合には、中指を基準として持ち方が決まるようにしても良い。また、基準となる手の部位を、本体を保持するときに、本体と接触して本体を支持することとなる部位，例えば、親指，中指，薬指，小指，掌(特に母子球)，人差し指や中指の付け根等としても良い。 
【図面の簡単な説明】
【０１２２】
【図１】本発明の実施形態１による耳式体温計の構成図
【図２】図１に示した耳式体温計の使用方法の説明図
【図３】図１に示した耳式体温計の使用方法の説明図
【図４】図１に示した耳式体温計の使用方法の説明図
【図５】本発明の実施形態２による耳式体温計の構成図
【図６】本発明の実施形態３，４による耳式体温計の構成図
【図７】本発明の実施形態５による耳式体温計の構成図
【図８】本発明の実施形態６による耳式体温計の構成図
【図９】図８に示した耳式体温計の変形例を示す図
【図１０】本発明の実施形態７による耳式体温計の構成図
【図１１】本発明の実施形態８による耳式体温計の構成図
【図１２】本発明の実施形態９による耳式体温計の構成図
【図１３】本発明の実施形態１０による耳式体温計の構成図
【符号の説明】
【０１２３】
Ｆ 基準平面
Ｌ１ プローブの中心軸 
１,１１,１４ 本体 
２ プローブ 
３,３Ａ1〜３Ａ4,３Ｂ,３Ｃ,３Ｄ,３Ｅ,３Ｆスイッチ 
１０,１０Ａ,１０Ｂ1,１０Ｂ2,１０Ｃ1〜１０Ｃ4 指標
１０Ｄ1〜１０Ｄ4,１０Ｆ1,１０Ｆ2,１０Ｇ1,１０Ｇ2 指標 
１２,１３,１５〜１７ 指標面
【図１】
2005224617.tif 000003
【図２】
2005224617.tif 000004
【図３】
2005224617.tif 000005
【図４】
2005224617.tif 000006
【図５】
2005224617.tif 000007
【図６】
2005224617.tif 000008
【図７】
2005224617.tif 000009
【図８】
2005224617.tif 000010
【図９】
2005224617.tif 000011
【図１０】
2005224617.tif 000012
【図１１】
2005224617.tif 000013
【図１２】
2005224617.tif 000014
【図１３】
2005224617.tif 000015